(57)【要約】【課題】大まかな位置合わせと検眼開始スイッチだけで、左右眼に対する正確な位置合わせを行う。【解決手段】（ａ）は右眼の測定終了直後を示し、鼻側に設けられている開口部による光束１３ａ’は、強膜と上下の瞼によるため光電素子は高い値を出力する。（ｂ）は左眼側に検眼部が移動し、左眼がモニタ４０に見え始め、開口部による光束１３ａ’は目頭付近であるため高い出力となる。（ｃ）では左眼側に検眼部が移動し、虹彩及び瞳孔像Ｅｉ’が見え始め、光束１３ａ’は虹彩及び瞳孔からの光束が含まれ出力は徐々に下がる。（ｄ）は更に左眼側に検眼部が移動し、瞳孔像Ｅｉ’が開口部とほぼ一致し、光束１３ａ’には虹彩及び瞳孔からの光束が最も多く含まれ出力は最も低い値となる。演算処理部は駆動手段を制御し、右眼から左眼方向に検眼部を移動させている間、光電素子の出力を検出し続け、その出力が極小値になると検眼部の移動を停止する。【選択図】　　　　図４
2004024471.tif 000002
【特許請求の範囲】
【請求項１】
被検者の前眼部を照明する前眼部照明手段と、前眼部観察手段と、観察視野内の特定領域の観察像の明るさを検出する観察像明るさ検出手段と、前記前眼部照明手段と前記前眼部観察手段と前記観察像明るさ検出手段とを含む検眼部を少なくとも左右方向に移動させる駆動手段と、装置の制御及び演算処理を行う演算処理手段とを有し、該演算処理手段は、前記駆動手段によって前記検眼部を左右眼の片眼検査終了後に他眼方向に移動を開始させる第１のステップと、前記検眼部の移動中の前記観察像明るさ検出手段の出力値が予め設定されている設定条件を満足しているかを判断する第２のステップと、該第２ステップの結果により前記駆動手段を所定時間後に停止させる第３のステップとを有することを特徴とする眼科装置。
【請求項２】
前記観察視野内の特定領域は、最初に検査する被検眼の観察視野内の鼻側の領域としたことを特徴とする請求項１に記載の眼科装置。
【請求項３】
前記予め設定されている設定条件は、前記観察像明るさ検出手段の出力値の極小値としたことを特徴とする請求項１に記載の眼科装置。
【請求項４】
前記観察像明るさ検出手段は、最初に検査する被検眼の観察視野内の鼻側の第１の領域の明るさを検出する第１観察像明るさ検出手段と、最初に検査する被検眼の観察視野内の耳側の第２の領域の明るさを検出する第２観察像明るさ検出手段とを有し、前記予め設定されている設定条件は、被検者の左右眼の片眼検査終了後に他眼方向に移動させる際に前記第２観察像明るさ検出手段の出力信号から閾値を決定し、前記第１観察像明るさ検出手段の出力値が前記閾値よりも小さくなることとしたことを特徴とする請求項１に記載の眼科装置。
【請求項５】
前記所定時間は前記駆動手段の駆動速度に基づいて決定することを特徴とする請求項１に記載の眼科装置。
【発明の詳細な説明】
【０００１】
【発明の属する技術分野】
本発明は、被検眼の検査又は撮影を行う眼科装置に関するものである。
【０００２】
【従来の技術】
従来から、被検眼の位置を検出し、装置検眼部を上下、左右、前後方向又はその何れかの方向に移動するための駆動手段を有し、検出した被検眼位置に基づいて駆動手段を駆動制御して、被検眼と装置光学系との位置合わせを行う装置が知られている。
【０００３】
このような装置においては、モニタに被検眼像が或る程度映し出されるように、検者は操作桿やトラックボールなどの操作手段を操作し、大まかな被検眼と装置検眼部との位置合わせを行い、概略の位置合わせが終了すると、検者は測定スイッチを押す。すると、被検眼と装置検眼部との相対位置が検出され、被検眼の位置と合致するように装置駆動手段を制御し、被検眼と装置検眼部の位置ずれが所定の許容量以内に達したときに、検査又は撮影などの眼科測定を開始する方式を採用している。
【０００４】
また、片眼の測定が終了すると、検者の左右眼切換スイッチの入力により、予め設定されている所定距離だけ装置検眼部を移動させるようになっている。しかし、左右眼の距離つまり瞳孔間距離には、小児、成人、性別などにより５０〜８０ｍｍ程度の範囲で個人差がある。従って、装置検眼部を所定距離移動しただけでは、被検眼と装置検眼部の相対位置を検出可能な範囲までの大まかな位置合わせが完了しない場合があるため、そのような場合には、更に操作手段を操作して概略の位置合わせしてから、測定スイッチを押して片眼の検査又は撮影を行っている。
【０００５】
【発明が解決しようとする課題】
しかしながら上述の従来例においては、眼科装置で右眼、左眼の検査又は撮影を連続して行う場合に、検者による大まかな右眼への位置合わせが完了すると、検査開始スイッチの押釦により、装置は被検眼位置を検出し、被検眼と装置検眼部との相対位置が許容範囲内になるように駆動手段を制御し、右眼の検査又は撮影を所定回数行う。右眼の検査又は撮影が完了すると、予め設定されている所定距離だけ左眼方向へ装置検眼部を移動させ、被検眼位置を検出し、右眼と同様に左眼と装置検眼部との相対位置が許容範囲内になるように駆動部を制御して、左眼の検査又は撮影を所定回数行い、右眼左眼の連続検眼動作を終了する。
【０００６】
しかし、瞳孔間距離の前述した個人差により、右眼の検眼完了後に所定距離だけ装置検眼部を移動させても、左眼と装置検眼部との相対位置を検出可能な範囲内に左眼が位置しない場合があり、このような場合は、装置は左眼の位置を検出できないため、検眼動作を一時中断してしまう。すると、検者は再び操作手段を操作して概略の位置合わせを完了させてから測定スイッチを押して、左眼の検査又は撮影を行う必要がある。
【０００７】
本発明の目的は、上述の問題点を解消し、１回の概略の被検眼への位置合わせと１回の検眼開始スイッチの押釦だけで、瞳孔間距離が極端に狭い或いは極端に広い被検者であっても、左右眼を連続して自動測定ができる眼科装置を提供することにある。
【０００８】
【課題を解決するための手段】
上記目的を達成するための請求項１に係る本発明は、被検者の前眼部を照明する前眼部照明手段と、前眼部観察手段と、観察視野内の特定領域の観察像の明るさを検出する観察像明るさ検出手段と、前記前眼部照明手段と前記前眼部観察手段と前記観察像明るさ検出手段とを含む検眼部を少なくとも左右方向に移動させる駆動手段と、装置の制御及び演算処理を行う演算処理手段とを有し、該演算処理手段は、前記駆動手段によって前記検眼部を左右眼の片眼検査終了後に他眼方向に移動を開始させる第１のステップと、前記検眼部の移動中の前記観察像明るさ検出手段の出力値が予め設定されている設定条件を満足しているかを判断する第２のステップと、該第２ステップの結果により前記駆動手段を所定時間後に停止させる第３のステップとを有することを特徴とする眼科装置である。
【０００９】
請求項２に係る本発明は、前記観察視野内の特定領域は、最初に検査する被検眼の観察視野内の鼻側の領域としたことを特徴とする請求項１に記載の眼科装置である。
【００１０】
請求項３に係る本発明は、前記予め設定されている設定条件は、前記観察像明るさ検出手段の出力値の極小値としたことを特徴とする請求項１に記載の眼科装置である。
【００１１】
請求項４に係る本発明は、前記観察像明るさ検出手段は、最初に検査する被検眼の観察視野内の鼻側の第１の領域の明るさを検出する第１観察像明るさ検出手段と、最初に検査する被検眼の観察視野内の耳側の第２の領域の明るさを検出する第２観察像明るさ検出手段とを有し、前記予め設定されている設定条件は、被検者の左右眼の片眼検査終了後に他眼方向に移動させる際に前記第２観察像明るさ検出手段の出力信号から閾値を決定し、前記第１観察像明るさ検出手段の出力値が前記閾値よりも小さくなることとしたことを特徴とする請求項１に記載の眼科装置である。
【００１２】
請求項５に係る本発明は、前記所定時間は前記駆動手段の駆動速度に基づいて決定することを特徴とする請求項１に記載の眼科装置である。
【００１３】
【発明の実施の形態】
本発明を図示の実施の形態に基づいて詳細に説明する。
図１は第１の実施の形態の眼屈折力測定装置の構成図である。装置検眼部１内において、被検眼Ｅに対向した光軸Ｏ１上には、ダイクロイックミラー２が配置されており、その反射方向には前眼部観察用対物レンズ３、ダイクロイックミラー４が配置され、ダイクロイックミラー４の反射方向の光軸Ｏ２上には、図２に示すような光軸Ｏ２上に開口５ｃ、光軸外に対称な２つの開口５ａ、５ｂを有する挿脱可能な絞り板５、結像レンズ６、ハーフミラー７、被検眼Ｅの前眼部付近と略共役な位置に設けたＣＣＤカメラなどの撮像素子８が配列されている。
【００１４】
絞り板５の開口５ａ、５ｂには、偏向プリズム９ａ、９ｂがそれぞれ密接されている。これらの偏向プリズム９ａ、９ｂは、後述する眼屈折力測定光源１０からの波長の光を透過し、前眼部照明光源１１からの波長光を透過しない分光特性を有し、偏向プリズム９ａは紙面下方に、偏向プリズム９ｂは紙面上方に光束を偏向するようになっている。
【００１５】
ダイクロイックミラー４の透過方向の光軸Ｏ３上にはミラー１２が配置され、ミラー１２の反射方向には被検眼が固視するための図示しない固視標投影系が配置されている。
【００１６】
ハーフミラー７の反射方向には、図３に示すような２つの矩形状の開口１３ａ、１３ｂを有し、撮像素子８と光学的に共役な位置に設けた絞り板１３が配置され、開口１３ａ、１３ｂのそれぞれの後方にはフォトダイオードなどの光電素子１４ａ、１４ｂが配置されている。
【００１７】
ダイクロイックミラー２の透過方向には、眼屈折力測定用対物レンズ１５、対物レンズ１５の後側焦点面に配置された挿脱可能な拡散板１６、孔あきミラー１７、投影絞り１８、投影レンズ１９、ピンホールを有する指標板２０、前眼部照明光源１１よりも数１０ｎｍ波長が長い近赤外光を発する眼屈折力測定光源１０が配置されている。拡散板１６は眼屈折力測定光源１０から発せられる光束を拡散させるためのものであり、前方散乱強度が強く、散乱した光束の大部分が眼屈折力測定用対物レンズ１５によって集光されるようになっている。これらの眼屈折力測定用対物レンズ１５〜眼屈折力測定光源１０により眼屈折力測定光投影系が構成されている。
【００１８】
また、孔あきミラー１７の反射方向には、光軸外に６つの開口を有する６穴絞り２１、６分割プリズム２２、リレーレンズ２３、ＣＣＤカメラなどの撮像素子２４が配置されている。そして、眼屈折力測定用対物レンズ１５〜撮像素子２４により眼屈折力測定受光系が構成されている。
【００１９】
更に、被検眼前眼部を照明するための近赤外光を発するＬＥＤなどの一対の前眼部照明光源１１が、被検眼Ｅとダイクロイックミラー２の間の光軸Ｏ１に対称な位置に配置されている。前眼部観察用対物レンズ３〜撮像素子８と共に、前眼部観察系が構成されている。
【００２０】
ここで、ダイクロイックミラー２は眼屈折力測定光源１０から発せられる波長の光の大部分を透過すると共に一部分を反射し、前眼部照明光源１１から発せられた波長の光を反射する特性を有しており、ダイクロイックミラー４は可視光を透過し、近赤外光を反射する特性を有している。
【００２１】
前眼部観察系、固視標投影系、眼屈折力測定光投影系、眼屈折力測定受光系などにより装置検眼部１が構成されており、この装置検眼部１は３軸方向に移動することのできる架台の上に載置され、この架台はモータなどの駆動手段３１により電動で駆動可能となっている。
【００２２】
撮像素子８及び２４の出力は、それぞれＡ／Ｄコンバータ３２及び３３に接続され、これらの出力はそれぞれ画像メモリ３４及び３５に接続されていると共に、装置の全ゆる制御を行う演算処理部３６に接続されている。また、光電素子１４ａ及び１４ｂの出力は、それぞれＡ／Ｄコンバータ３７ａ及び３７ｂを経由して、演算処理部３６に接続されている。演算処理部３６には、この他に駆動手段３１、眼屈折力測定光源１０、測定開始スイッチや駆動手段３１を操作するためのスイッチなどが配置された操作手段３８、Ｄ／Ａコンバータ３９を介したテレビモニタ４０が接続されている。
【００２３】
先ず、被検者の右眼Ｅｒがテレビモニタ４０上に映し出されるように、検者は操作手段３８のトラックボールを操作し、概略の位置合わせを行う。次に、操作手段３８の測定開始スイッチを押すと、装置は測定動作を開始し、被検すべき右眼Ｅｒは前眼部照明光源１１により照明され、右眼Ｅｒの前眼部照明光源１１による前眼部周辺からの反射散乱光はダイクロイックミラー２を反射し、前眼部観察用対物レンズ３により略平行光とされ、ダイクロイックミラー４を反射し、絞り板５の開口５ｃを通り、結像レンズ６によりハーフミラー７を透過した後に撮像素子８上に結像する。
【００２４】
そして、撮像素子８の出力信号はＡ／Ｄコンバータ３２によってデジタル信号に変換され、演算処理部３６、Ｄ／Ａコンバータ３９を介して、テレビモニタ４０上に右眼Ｅｒの前眼部像Ｅｐ’が映し出される。同時に、デジタル信号に変換された前眼部像のデータは画像メモリ３４に記憶されると、演算処理部３６は記憶された前眼部像データから右眼Ｅｒの瞳孔Ｅｉ’を抽出して瞳孔中心位置を検出する。
【００２５】
この瞳孔中心位置の検出方法は、例えば前眼部を十分に照明すると前眼部像Ｅｐ’の明るさは瞳孔が最も暗く、虹彩、強膜の順で明るくなるので、適当な閾値により２値化処理することによって瞳孔の境界を求めることができ、それから瞳孔中心位置を算出することができる。
【００２６】
演算処理部３６は瞳孔中心位置が検出されると、装置検眼部１の光軸と瞳孔中心位置との光軸と垂直な面内でのずれ量を算出し、それらが一致するように駆動手段３１を制御する。１回目の瞳孔中心位置の検出、駆動が終わると演算処理部３６は再び瞳孔中心位置の検出を行い、装置測定光軸とのずれ量が予め設定してある許容領域内にあるかを判断する。
【００２７】
許容領域内にない場合は、演算処理部３６は装置検眼部１の光軸と瞳孔中心位置との光軸が一致するように駆動手段３１を制御し、再び瞳孔中心位置と装置測定光軸とのずれ量が許容領域内にあるかを判断する。
【００２８】
許容領域内にあると判断した場合に、演算処理部３６は眼屈折力測定光源１０を点灯する。眼屈折力測定光源１０から射出した光束は指標板２０を照明し、指標板２０のピンホール部を透過した光束は、投影レンズ１９、投影絞り１８を介して眼屈折力測定用対物レンズ１５の後側焦点面の光軸Ｏ１に挿入されている拡散板１６上に、指標板２０のピンホール像を一旦作り、拡散板１６によって拡散された光束が眼屈折力測定用対物レンズ１５により略平行光とされ、その大部分がダイクロイックミラー２を透過し右眼Ｅｒに達する。
【００２９】
右眼Ｅｒに達した拡散板１６上の二次光源からの光束は、右眼Ｅｒの角膜Ｅｃにより反射され、角膜曲率中心と角膜頂点の中点の位置に反射光束の角膜反射指標像Ｐを成し、その光束の一部がダイクロイックミラー２に反射され、前眼部観察用対物レンズ３により略平行光とされ、ダイクロイックミラー４で光軸Ｏ２方向に偏向され、偏向プリズム９ａ、９ｂを伴う絞り板５の３つの開口５ａ、５ｂ、５ｃによって３つの光束に分割され、結像レンズ６により撮像素子８上に達し、被検眼前眼部像と共に撮像され、Ａ／Ｄコンバータ３２によりデジタル化され画像メモリ３４に記憶される。
【００３０】
３つに分割された絞り板５の開口５ａ、５ｂ、５ｃを通過した光束は、撮像素子８上に３つのスポット像として結像する。画像メモリ３４に記憶された画像データから３つのスポット像を検出することにより、装置検眼部１と被検眼Ｅとの相対位置を検出することができ、検出した結果から、装置検眼部１と右眼Ｅｒが所定位置関係になるように駆動手段３１を制御する。そして、再び３つのスポット像を含む右眼Ｅｒの前眼部像を撮像し、同様の方法で位置合わせを行う。
【００３１】
このように、被検眼Ｅと装置検眼部１との位置合わせが終了すると、演算処理部３６は既知の方法で右眼Ｅｒの雲霧を促すために、図示しない固視標投影系を制御する。
【００３２】
次に、右眼Ｅｒが雲霧状態になると、演算処理部３６は再び右眼Ｅｒと装置検眼部１とが所定の位置関係の許容領域内にあるか否かを判断する。右眼Ｅｒと装置検眼部１とが所定の位置関係の許容領域内にない場合に、位置関係が許容領域内に入るように駆動手段３１を制御し、右眼Ｅｒと装置検眼部１とが所定の位置関係の許容領域内にあるか否かを判断する。右眼Ｅｒと装置検眼部１とが所定の位置関係の許容領域内にある場合に、演算処理部３６は既知の方法で右眼Ｅｒの眼屈折力の測定を所定回数行う。
【００３３】
右眼Ｅｒの測定が終了すると、演算処理部３６は駆動手段３１を制御し、右眼Ｅｒから左眼方向へ装置検眼部１の移動を始める。ここで、図４（ａ）〜（ｄ）は撮像素子８で撮像された被検者像がテレビモニタ４０に映し出された様子の説明図であり、点線で示した１３ａ’、１３ｂ’は、撮像素子８と光学的に共役な位置に設けられている絞り板１３の開口部１３ａ及び１３ｂを重ねて示したものである。
【００３４】
また、図５は絞り板１３の開口部１３ａを通過した被検眼前眼部像の光束を光電素子１４ａで受光した出力電圧の時間に対するグラフ図を示している。図５の時刻ｔａは図４（ａ）、時刻ｔｂは図４（ｂ）、時刻ｔｃは図４（ｃ）、時刻ｔｄは図４（ｄ）の被検眼Ｅと装置検眼部１との位置関係のときの時刻を表している。
【００３５】
ところで、前眼部照明光源１１から発せられ被検眼前眼部を照明した光束は、ダイクロイックミラー２、前眼部観察用対物レンズ３、ダイクロイックミラー４、絞り板５、結像レンズ６を介し、ハーフミラー７によって２つに分割され、ハーフミラー７を透過した光束は撮像素子８上に結像し、ハーフミラー７で反射した光束は絞り板１３上に結像する。
【００３６】
図４（ａ）〜（ｄ）において、Ｅｒ’は右眼Ｅｒの像、Ｅｌ’は左眼Ｅｌの像、Ｅｉ’は左眼瞳孔像、画面上の矢印は装置検眼部１が右眼Ｅｒ側から左眼Ｅｌ側に移動中であることを表す指標である。
【００３７】
図４（ａ）は右眼Ｅｒの屈折力測定終了直後の様子を示し、右眼Ｅｒの鼻側に設けられている絞り板１３の開口部１３ａを通過する光束は、右眼Ｅｒの鼻側の強膜と上下の瞼からの光束であるため、光電素子１４ａの出力は図５に示すように高い値となっている。
【００３８】
図４（ｂ）は左眼Ｅｌ側に装置検眼部１が移動し、左眼Ｅｌがテレビモニタ４０に見え始めたときの様子を示し、絞り板１３の開口部１３ａを通過する光束は左眼Ｅｌの目頭付近からの光束であるため、光電素子１４ａの出力は高い値となっている。
【００３９】
図４（ｃ）は更に左眼Ｅｌ側に装置検眼部１が移動し、左眼の虹彩及び瞳孔像Ｅｉ’がテレビモニタ４０に見え始めたときの様子を示し、絞り板１３の開口部１３ａを通過する光束は左眼Ｅｌの虹彩及び瞳孔からの光束が含まれているため、光電素子１４ａの出力は徐々に下がってきている。
【００４０】
図４（ｄ）は更に左眼Ｅｌ側に装置検眼部１が移動し、左眼Ｅｌの瞳孔像Ｅｉ’の中央が開口部１３ａの中央とほぼ一致したときの様子を示し、絞り板１３の開口部１３ａを通過する光束は、左眼Ｅｌの虹彩及び瞳孔からの光束が最も多く含まれているため、光電素子１４ａの出力は最も低い値となる。
【００４１】
演算処理部３６は駆動手段３１を制御し、右眼Ｅｒから左眼Ｅｌ方向に装置検眼部１を移動させている間、光電素子１４ａの出力を検出し続け、その出力が極小値になると、予め設定されている装置検眼部１の移動速度を考慮し、極小値をとった被検眼部位がテレビモニタ４０の中央に至るタイミングで装置検眼部１の移動を停止する。次に、右眼Ｅｒのときと同様に瞳孔位置の検出、駆動手段３１の制御を繰り返し、左眼Ｅｌの瞳孔位置と装置検眼部１の相対位置のずれが許容範囲内になるようにする。
【００４２】
そして、眼屈折力測定光源１０を点灯し、３つに分割された左眼Ｅｌの角膜Ｅｃの角膜反射像を検出することにより、装置検眼部１との位置ずれを検出し、駆動手段３１の制御を行い、左眼Ｅｌと装置検眼部１が所定の位置関係になるようにする。左眼Ｅｌの位置合わせが完了すると、右眼Ｅｒの屈折力測定と同様の動作をして所定回数の測定を行う。
【００４３】
また、始めに左眼Ｅｌから測定を開始し、左眼Ｅｌの測定終了後に連続して、右眼Ｅｒの測定を行う場合には、左眼Ｅｌ側から右眼Ｅｒ側に装置検眼部１を移動させている間、左眼Ｅｌの鼻側側に設けられた開口部１３ｂを通過した光束を受光する光電素子１４ｂの出力電圧の変化を検出することにより、瞳孔間距離が極端に狭い或いは極端に広い被検者であっても、左右眼連続で自動測定が可能となる。
【００４４】
更に本実施の形態では、演算処理部３６は駆動手段３１を制御し、右眼Ｅｒから左眼Ｅｌ方向に装置検眼部１の移動させている間、光電素子１４ａの出力を検出し続け、その出力が極小値になると、予め設定されている装置検眼部１の移動速度を考慮し、極小値をとった被検眼部位がテレビモニタ４０の中央に至るタイミングで装置検眼部１の移動を停止するようにしたが、右眼Ｅｒの測定終了後に、駆動手段３１を駆動して、左眼Ｅｌ側に装置検眼部１の移動を開始し、同時に右眼Ｅｒの耳側側に設けられている絞り板１３の開口部１３ｂを通過する光束を受光する光電素子１４ｂの出力電圧の変化を検出する。
【００４５】
これにより、右眼Ｅｒが開口部１３ｂを横切った場合の光電素子１４ｂの出力電圧の極小値を求め、この極小値から左眼Ｅｌが開口部１３ａを横切る際の光電素子１４ａの出力電圧の閾値を決定し、光電素子１４ａの出力電圧が閾値よりも小さくなったとき、予め設定されている装置検眼部１の移動速度を考慮し、装置検眼部１の移動を停止するようにしてもよい。
【００４６】
図６は第２の実施の形態の眼屈折力測定装置の構成図である。第１の実施の形態では、光軸Ｏ２上の結像レンズ６と撮像素子８との間にハーフミラー７が配置され、撮像素子８と光学的に共役な位置に開口部１３ａ、１３ｂを伴う絞り板１３と、その後方に光電素子１４ａ、１４ｂが配置され、その出力をＡ／Ｄ変換するためのＡ／Ｄコンバータ３７ａ、３７ｂが接続されていたが、この第２の実施の形態では、これらのハーフミラー７、絞り板１３、光電素子１４ａ、１４ｂ、Ａ／Ｄコンバータ３７ａ、３７ｂは取り除かれている。
【００４７】
第２の実施の形態では、画像メモリ３４に記憶された画像データの内、図４（ａ）〜（ｄ）に点線で示された領域１３ａ’内、或いは領域１３ｂ’内の平均のビット数を、装置検眼部１の移動時に繰り返し算出することにより、処理に時間を要する複雑な画像処理を行うことなく、領域１３ａ’或いは領域１３ｂ’内に被検眼Ｅの瞳孔部が最も多く含まれる状態を検出することができる。これにより、瞳孔間距離が極端に狭い或いは極端に広い被検者であっても、左右眼連続で自動測定が可能となる。
【００４８】
【発明の効果】
以上説明したように本発明に係る眼科装置は、右眼又は左眼の検査又は撮影の終了後に他眼へ装置検眼部を移動する際に、観察画像の特定領域の明るさの変化を検出し、その明るさが所定条件を満足するか否かを判断し、その条件を満足した場合に、装置駆動部の駆動速度に応じた時間後に装置検眼部の移動を停止し、他眼位置の検出が確実に行えるようにしたことで、瞳孔間距離が極端に狭い或いは極端に広い被検者であっても左右眼を連続して自動測定ができる。
【図面の簡単な説明】
【図１】第１の実施の形態の構成図である。
【図２】２つの偏向プリズムと３つの開口部を有する位置合わせ用絞り板の正面図である。
【図３】２つの開口部を有する絞り板の正面図である。
【図４】モニタ上の被検眼像と像の明るさを検出する特定領域の説明図である。
【図５】検眼部移動に伴う検出された特定領域の明るさ変化のグラフ図である。
【図６】第２の実施の形態の構成図である。
【符号の説明】
１　装置検眼部
２　ダイクロイックミラー
３　前眼部観察用対物レンズ
４　ダイクロイックミラー
５　位置合わせ用絞り板
７　ハーフミラー
８　撮像素子
９ａ、９ｂ　偏向プリズム
１０　眼屈折力測定光源
１１　前眼部照明光源
１３　絞り板
１４ａ、１４ｂ　光電素子
３１　駆動手段
３４、３５　メモリ
３６演算処理部
３８　操作手段
４０　テレビモニタ
Ｅ　被検眼
【図１】
2004024471.tif 000003
【図２】
2004024471.tif 000004
【図３】
2004024471.tif 000005
【図４】
2004024471.tif 000006
【図５】
2004024471.tif 000007
【図６】
2004024471.tif 000008